(57)【要約】      （修正有）【課題】痴漢から身体を他人の邪魔にならないように物理的に保護し、使用時に内部に収納した物品を破損しない鞄を提供する。【解決手段】縦横の長さに違いがあり、長手方向を横に取っ手３１又は、ベルト３６で携行する鞄において、鞄の長手方向を縦に使用時にベルトでの携行を可能とする為、鞄の短手方向にベルト接続具３５ａ、３５ｄを設けた鞄１０であって、内部に上下保持部３７ａを設け、鞄の縦横の方向を変えた時、収納物が内部での移動や落下による破損を防ぐ。側面に不浸透性の板３８を内包、又は保持する事により液体の浸透による鞄の中身の汚損を防ぐ。【選択図】図１
0003227942.tif 000002
【実用新案登録請求の範囲】
【請求項１】
縦横の長さに違いがあり、長手方向を横に取っ手等で携行する鞄において、長手方向を縦にベルトでの携行を可能とするベルト接続具を設けた事を特徴とする鞄。
【請求項２】
請求項１に記載の鞄において、内部に長手方向を縦に使用時に上下の仕切りになる軟体材質、又はフレキシブル構造のＵ字状保持部を設けた事を特徴とする鞄。
【請求項３】
請求項１に記載の鞄において、内部に長手方向を縦に使用時に上下の仕切りになる軟体材質、又はフレキシブル構造の袋状保持部を設けた事を特徴とする鞄。
【請求項４】
請求項１〜３に記載の鞄において、側面に不浸透性の板を内包、又はポケットで保持した事を特徴とする鞄。
【考案の詳細な説明】
【技術分野】
【０００１】
本考案は、鞄を盾にして痴漢等から体の部位を守る鞄である。より詳しくは
（イ） 痴漢が体に接触するのを防ぎ、
（ロ） 使用時に鞄の中身が破損するのを防ぎ、
（ハ） 体液などの液体が鞄に掛かっても中身を保護する、
鞄である。
【背景技術】
【０００２】
近年電車内や路上で女性の体を触る痴漢行為のニュースが多い。
【０００３】
痴漢とは異なるが、体液など液体を掛ける変質者もニュースであり、これが鞄に掛かって浸透すると内部の物まで汚損される。厳密に浸透してなくても中に大切な品物が入っていると女性は心理的なショックが大きい。
【０００４】
鞄に痴漢防止の機能を設けるのは以前から提案されている。
【０００５】
たとえば、特許文献１では、鞄に入れた防犯ブザーを外側から操作する構造が開示されている。
【先行技術文献】
【特許文献】
【０００６】
【特許文献１】実願２００６−１２１５公報
【考案の概要】
【考案が解決しようとする課題】
【０００７】
しかしながら、特許文献１の鞄は痴漢にあった後に操作する物で防止には難しい。
【０００８】
鞄その物を臀部や下腹部に保持して物理的に保護する事もできるが、長手方向を横に使う鞄では上下に保護できる面積が狭い。また身体より横にはみ出すと満員電車の中では他人に迷惑が掛かる。路上では自動車や自転車との接触事故の危険がある。
【０００９】
本考案者は、このような痴漢、変質者から身体及び、鞄の中身を保護する為に鞄を用いるために下記７点を鋭意検討した。
（１）体を物理的に守り、特別な操作を必要しない事。
（２）従来の鞄と比較して収納力が大幅に変わらない事。
（３）鞄というデザイン性のある物なので従来品と比べ、外見が大幅に変わらない事。
（４）通報や防御行動の為、両手を空けられる事。
（５）満員電車や路上でも他人の邪魔、通行の邪魔にならない事。
（６）痴漢防御使用時の形態において中身が破損しない事。
（７）一般に安価な部材を使用し、コスト面、生産性に配慮する事。
本考案は以上の問題点を解決するものである。
【課題を解決するための手段】
【００１０】
本考案に係る鞄は、具体的には、以下のとおりである。
［１］縦横の長さに違いがあり、長手方向を横に取っ手等で携行する鞄において、長手方向を縦にベルトでの携行を可能とするベルト接続具を設けた事を特徴とする鞄。
［２］前記［１］に記載の鞄の内部に長手方向を縦に使用時に上下の仕切りになる軟体材質、又はフレキシブル構造のＵ字状保持部を設けた事を特徴とする鞄。
［３］前記［１］に記載の鞄の内部に長手方向を縦に使用時に上下の仕切りになる軟体材質、又はフレキシブル構造の袋状保持部を設けた事を特徴とする鞄。
［４］前記［１］〜［３］に記載の鞄において、側面に不浸透性の板を内包、又はポケットで保持した事を特徴とする鞄。
【考案の効果】
【００１１】
本考案にかかる鞄によれば、長手方向を縦にしてベルトを肩に掛けて保持する事により、（イ）特別な操作を必要とせず、両手を空けたまま身体の一部を短手方向より上下に広く物理的に保護でき、（ロ）長手方向を縦に使用する事により横方向より他人の邪魔にならず、（ハ）内部に上下保持部を設置すれば縦方向に使用しても上下の物品が重ならず破損を防ぎ、（ニ）不浸透性の板により体液など液体の浸透を防ぐ、優れた効果が奏される。
【図面の簡単な説明】
【００１２】
【図１】本考案に係る鞄の一態様を示すため扉ポケットに不浸透板を設置し、上下保持部を内部に設置している図である。また別の形状の上下保持部を取り外した形で示している。
【図２】本考案に係る鞄の一態様を示すため不浸透板を側面に内包して、痴漢防御使用時に長手方向を縦にした図である。
【考案を実施するための形態】
【００１３】
本考案を説明する為に便宜的に以下に語句を定義する。
上面：長手、短手、厚みのある鞄で長手と厚み方向で構成された面で取っ手が付いている面。
側面：長手、短手、厚みのある鞄で長手と短手方向で構成された面。通常２面ある。
側面扉：２つある側面の一方が扉として開閉し、収納口となっている面。
マチ部：長手、短手、厚みのある鞄で短手と厚み方向で構成された面。通常２面あるが、本考案の説明では１面のみ使用する。
扉鞄本体：側面の一方が扉になっている鞄
上口鞄本体：上面に線ファスナー、金具等で収納口が設けてある鞄。
通常時：鞄の上面を上に向け、長手方向を横にした形態。
痴漢防御時：マチ部を上に向け、長手方向を縦にした形態。
【００１４】
以下、本考案に係る鞄について、適宜図面を参照しつつ説明する。
本発明に係る鞄は、図１の扉鞄本体２０及び、図２の上口鞄本体２１を例示し、ベルト保持具３５ａ、３５ｂ、ベルト３６での構成とし、さらに組み合わせでＵ字状上下保持部３７ａ、袋状保持部３７ｂ、不浸透版３８で構成される。
【００１５】
鞄１０は通常時は取っ手３１を持ち長手方向を横に携行する。また鞄によっては取っ手３１が無く、ベルト保持具３５ｂ、３５ｃが予め取り付けられており、ベルト３６を取り付けて肩に掛けて携行する。
【００１６】
痴漢の出没が予想される電車や夜道にはベルト３６をベルト補持具３５ａ、３５ｂに取り付け、長手方向を縦にしてベルト３６で携行する事により、通常時より身体を上下に長く保護できる。
【００１７】
例えば１５．６インチサイズのノートパソコン、あるいは日本工業規格Ｂ４サイズの書類を収納する長手方向４０ｃｍ、短手方向３０ｃｍの鞄の場合、長手方向を縦にすると横に保持するより１０ｃｍ長く身体を保護できる。これは個人差もあるが概ね臀部、又は下腹部から太腿まで痴漢被害になり易い部分の保護になる。
【００１８】
ベルト３６は手で保持してもよいが、肩に掛けると両手が空き、電車では吊革に掴まりながら携帯電話での通報や防御行動ができる。特に肩に袈裟懸けに保持すると鞄１０を身体の前後に素早く変えられるので、電車の込み具合や立ち位置によって痴漢から保護する部位を変えられる。
ベルト３６は長さを変えられる仕様の物であれば、個人の身長によって保護部分の微調整ができる。
【００１９】
鞄１０の長手方向を縦にすると横に保持するより身体からはみ出す部分が小さくなり、満員電車では他人の邪魔にならない。また狭い道では自転車や自動車と接触の危険も少なくなる。
【００２０】
Ｕ字状上下保持部３７ａ、袋状上下保持部３７ｂは布、皮革など軟体素材又は、網や鎖などのフレキシブル構造でできている。長手方向を縦にした時に上になるマチ部３３の内側に取り付け、鞄１０を縦に保持した時、収納した物が移動、落下しての重なりで破損するのを防ぐ。
例えば上記の長手方向４０ｃｍ短手方向３０ｃｍの鞄であれば、日本工業規格Ｂ５サイズの本を横に２冊並べて収納できるが、長手方向を縦にした時に重なって折れるのが想定される。またタブレットなど精密機器は他の物とぶつかるのは好ましくない。これらを保持する事により本の折れ、機器の破損を防ぐ事ができる、
素材は布や薄い皮革であれば鞄の収納力はこれらが無い時と比べほとんど変わらない。
またプラスチックや金属性の鎖や網であれば、素材は軟体でなくも構造で軟体になる物でも可能である。この場合鞄１０の収納容積がやや狭くなるが、デザイン性の高い鞄を設計できる。
【００２１】
Ｕ字状上下保持部３７ａ、袋状上下保持部３７ｂの取り付けは縫製、接着などで固定してもよいし、面ファスナーやスナップボタンで取り外し可能にしてもよい。取り外し可能にした場合、当日の用途によってＵ字状上下保持部３７ａ、袋状上下保持部３７ｂを選択、又は取り付けない選択も可能である。
【００２２】
Ｕ字状上下保持部３７ａは主に本、タブレットなどの保持を想定している。この場合、矩形の素材を曲げるだけなので袋状より製造工数が少なくなりコスト削減になる。
【００２３】
袋状上下保持部３７ｂは筆記用具、手鏡など比較的小さい物を入れるのを想定している。袋状なので長手方向を縦、横どちらに携行しても袋状上下保持部３７ｂから飛び出さない。
【００２４】
Ｕ字状上下保持部３７ａはＵ字状上下保持部端４０ａをマチ部３３の内側に接着、縫製などで固定、Ｕ字状上下保持部端面４０ｂをマチ部３３の内側に面ファスナー等で接続する事により、保持する容積を変えられる。例えば５００ｍＬのペットボトル飲料を携行したい時は容積を小さく調整する事により鞄１０の中で固定して保持できる。
【００２５】
不浸透板３８は液体が浸透しない材質で図２に示すように鞄１０の側面３４ａに内包または保持し、収納した物が液体で汚損するのを防ぐ。プラスチック板、金属板、ビニールシートを巻いた段ボール板など液体が染み込まなければ材質は問わない。厚さ１ｍｍのアクリル板であれば安価に入手でき、多少の力で歪んでも元に戻る。
【００２６】
図１で示す側面が扉になっている形状の扉鞄本体２０では側面扉３４ｂに設けた扉ポケット３４ｃに入れる事もできる。この場合、不意の破損時での交換が容易になる。
【００２７】
図１で示す扉鞄本体２０では側面３４ａと扉ポケット３４ｃ、図２で示す上口鞄本体２１では２面ある側面３４ａに不浸透板をそれぞれ入れると鞄１０の向きの間違いがない。
【００２８】
鞄のデザインやベルト保持具の耐久性を考慮したい時は、図１に示すベルト保持具３５ｄを設けてもよい。通常時にベルトで保持する時にはベルト保持具３５ｂ、３５ｃを使用。痴漢防御時時にはベルト保持具３５ａ、３５ｄを使用する。
これによりベルト保持具３５ｂが通常時、痴漢防御時兼用でなくなり、耐久性が向上する。
この時、ベルト保持具３５ａ、３５ｄとベルト保持具３５ｂ、３５ｃをそれぞれ色や形状違いにするなどでデザイン性の高い物が提供できる。
【００２９】
ベルト保持具３５ａ、３５ｂはマチ部３３の両端に例示してあるが、３５ｄのように用途やデザイン、バランスによっては上面３２に設置してもよい。図２に例示する上面３２に線ファスナー３９がある場合は側面３４ａに設置するなどでき、位置を限定するものではない。
【００３０】
本考案は縦横に長さの違う鞄であれば矩形に限らず、例えば楕円形のデザイン性の高い鞄にも適応できる。
【符号の説明】
【００３１】
１０：  本考案に係る鞄
２０：  扉鞄本体
２１：  上口鞄本体
３１：  取っ手
３２：  上面
３３：  マチ部
３４ａ：  側面
３４ｂ：  側面扉
３４ｃ：  扉ポケット
３５ａ：  ベルト保持具
３５ｂ：  ベルト保持具
３５ｃ：  ベルト保持具
３５ｄ：  ベルト保持具
３６：  ベルト
３７ａ：  Ｕ字状上下保持部
３７ｂ：  袋状上下保持部
３８：  不浸透版
３９：  線ファスナー
４０ａ：Ｕ字状上下保持部端  
４０ｂ：Ｕ字状上下保持部端面
【図１】
0003227942.tif 000003
【図２】
0003227942.tif 000004
【手続補正書】
【提出日】令和2年6月18日(2020.6.18)
【手続補正１】
【補正対象書類名】実用新案登録請求の範囲
【補正対象項目名】請求項１
【補正方法】変更
【補正の内容】
【請求項１】
縦横の長さに違いがあり、長手方向を横に取っ手又は、ベルトで携行する鞄において、鞄の長手方向を縦に使用時にベルトでの携行を可能とする為、鞄の短手方向にベルト接続具を設けた事を特徴とする鞄。